(57)【特許請求の範囲】
【請求項１】
保守作業時に操作されるスイッチを収納しているケースと、このケースの開口を覆うカバーと、このカバーの開閉動作を行うヒンジと、前記カバーを閉じている状態を保持するカバーロックとから成るエレベータかご内操作盤スイッチボックスにおいて、
前記カバーを前記ケースの開口面積とほぼ同一に形成し、かつ、前記ケースに設けられるスライド軸と、前記ヒンジに形成され、前記スライド軸が挿通されるスライド穴とを備えたスライド機構を介して、前記カバーを前記ケース奥行き方向と反対の手前方向へスライドさせた状態で前記カバー全体の開閉を可能とし、 前記スライド軸は、略コの字形状を有するとともにその両端が前記ケースの底部に支持されるロッド体から成り、かつ、前記ヒンジは、前記ロッド体の縦軸に係合する前記スライド穴を介して前記ロッド体の両端より内側で前記ロッド体の両側に沿ってスライド可能に支持される第１のヒンジと、前記スライド穴とは係合しないように前記第１ヒンジに取り付けられる回転軸と、一端が前記カバーに固定されると共に他端が前記回転軸に軸支される第２ヒンジとからなることを特徴とするエレベータかご内操作盤用スイッチボックス。
【発明の詳細な説明】
【技術分野】
【０００１】
本発明は、保守作業時に操作されるスイッチを収納するエレベータかご内操作盤用スイッチボックスに関するものである。
【背景技術】
【０００２】
図７は従来のエレベータかご内操作盤用スイッチボックスの平面図、図８は従来のエレベータかご内操作盤用スイッチボックスの側面図、図９は従来のエレベータかご内操作盤用スイッチボックスの正面図、図１０はエレベータかご内操作盤用スイッチボックスが取付けられる乗かごの概略構成図である。
【０００３】
エレベータの乗かご１には図１０に示すように、乗かご１の前側板１ａに設置されるかご内操作盤２と、このかご内操作盤２に設けられ、保守作業時に操作される図示しないスイッチを具備するかご内操作盤用スイッチボックス３とを有している。また、従来のかご内操作盤用スイッチボックス３は図７〜図９に示すように、前記スイッチを収納するケース２４と、このケース２４の開口を覆うカバー２５と、このカバー２５の開閉動作を行うヒンジ２６と、カバー２５を閉じている状態を保持するカバーロック２７とを備えている。そして、前述したカバー２５は、開閉部カバー２５ａと、前側板１ａと略同一面にケース２４の幅寸法を越えて延設される非開閉部カバー２５ｂとに２分割され、カバー２５を閉めた際にこのカバー２５と前側板１ａとが略同一面となるようにしてある。また、前述したヒンジ２６は、非開閉部カバー２５ｂに固定される第１ヒンジ２６ａと、この第１ヒンジ２６ａに取付けられる回転軸２６ｂと、一端が開閉部カバー２５ａに固定されるとともに、他端が回転軸２６ｂに軸支される第２ヒンジ２６ｃとからなっている。
【発明の開示】
【発明が解決しようとする課題】
【０００４】
前述した従来のエレベータかご内操作盤用スイッチボックスでは、かご内操作盤用スイッチボックスのカバーを２分割していることから、カバーの開口面積が限られ、したがって、スイッチの設置スペースが限られるとともに、スイッチの操作性に支障をきたすという問題があった。一方、カバーの横幅寸法をケースの横幅寸法と同等とし開口面積を大きく設定すると、カバーを開けた際、このカバーの一端、すなわちヒンジの回動軸側が前側板に接触して傷を付けてしまい意匠性を損なうという問題が生じる。
【０００５】
本発明は、前述した従来技術における実状からなされたもので、その目的は、カバーの開口面積を確保し、かつカバーを開けた際、このカバーが前側板に接触することを防ぐことのできるエレベータかご内操作盤用スイッチボックスを提供することにある。
【課題を解決するための手段】
【０００６】
前記目的を達成するために、本発明に係る発明は、保守作業時に操作されるスイッチを収納しているケースと、このケースの開口を覆うカバーと、このカバーの開閉動作を行うヒンジと、前記カバーを閉じている状態を保持するカバーロックとから成るエレベータかご内操作盤スイッチボックスにおいて、前記カバーを前記ケースの開口面積とほぼ同一に形成し、かつ、前記ケースに設けられるスライド軸と、前記ヒンジに形成され、前記スライド軸が挿通されるスライド穴とを備えたスライド機構を介して、前記カバーを前記ケース奥行き方向と反対の手前方向へスライドさせた状態で前記カバー全体の開閉を可能とし、 前記スライド軸は、略コの字形状を有するとともにその両端が前記ケースの底部に支持されるロッド体から成り、かつ、前記ヒンジは、前記ロッド体の縦軸に係合する前記スライド穴を介して前記ロッド体の両端より内側で前記ロッド体の両側に沿ってスライド可能に支持される第１のヒンジと、前記スライド穴とは係合しないように前記第１ヒンジに取り付けられる回転軸と、一端が前記カバーに固定されると共に他端が前記回転軸に軸支される第２ヒンジとからなることを特徴としている。
【０００７】
このように構成した本発明に係る発明は、前記カバーを開扉する場合、一旦、前記カバーを前記スライド軸を支点として前記スライド穴に沿って手前方向にスライドさせ、この状態で前記カバーを回動する。これによって、前記カバーの開口面積を大きなものに設定しつつ、前記カバーを開けた際に、前記カバーと前記前側板とが接触することを避けることができる。
【発明の効果】
【００１４】
本発明によれば、カバーの開口面積を確保することができることから、スイッチの設置スペースを従来に比べて大きなものとすることができるとともに、スイッチの操作性の向上を図ることができる。また、カバーを開けた際、このカバーが前側板に接触し傷が付くことを防げることから、乗かごの意匠性を損なうことがない。
【発明を実施するための最良の形態】
【００１５】
以下、本発明に係るエレベータかご内操作盤用スイッチボックスの実施の形態を図に基づいて説明する。
【００１６】
図１は本発明のエレベータかご内操作盤用スイッチボックスの第１の実施形態を示す平面図、図２は本発明のエレベータかご内操作盤用スイッチボックスの第１の実施形態を示す側面図、図３は本発明のエレベータかご内操作盤用スイッチボックスの第１の実施形態を示す正面図である。なお、エレベータの乗かごの概略構造は前述した図１０に示すものと同等のものである。
【００１７】
乗かご１のかご内操作盤２に設けられる第１の実施形態のエレベータかご内操作盤用スイッチボックス３は図１〜図３に示すように、保守作業時に操作されるスイッチを収納しているケース４と、このケース４の開口を覆うほぼ同一面積のカバー５と、このカバー５の開閉動作を行うヒンジ６と、カバー５を閉じている状態を保持するカバーロック７とを有しており、スライド機構を介してカバー５の開閉を行うようになっている。前述のスライド機構は、ケース４に設けられるスライド軸、例えば略コの字形状を有するとともにその両端がケース４の底部に支持されるロッド体８と、ヒンジ６に形成され、ロッド体８の縦軸８ａが挿通されるスライド穴６ｄとを備えて成っている。また、前述のカバー５は、その横幅寸法がケース４の横幅寸法と同等に設定されている。さらに、前述のヒンジ６は、ロッド体８の縦軸８ａにスライド穴６ｄを介して係合することによりロッド体８に支持される第１ヒンジ６ａと、この第１ヒンジ６ａに取付けられる回転軸６ｂと、一端がカバー５に固定されるとともに、他端が回転軸６ｂに軸支される第２ヒンジ６ｃとから成っている。
【００１８】
第１の実施形態にあっては保守作業時にケース４に収納されているスイッチを操作する場合、カバーロック７を開錠し、スライド軸となるロッド体８を支点として第１ヒンジ６ａを手前方向（図１中上方向）にスライドさせることにより、カバー５およびヒンジ６を手前方向に変位させる。そして、スライド穴６ｄの端部とロッド体８の縦軸８ａとが当接するスライド終点位置まできたら、カバー５を回転軸６ｂを中心に回動させることにより、カバー５を開ける。一方、保守作業が終了し、通常運転に復帰させる場合、前述とは逆の手順で、ロッド体８を支点としてヒンジ６を奥行き方向、すなわち図１中下方向にスライドさせるとともに、カバー５を閉扉方向に回動させ、カバーロック７を施錠する。
【００１９】
第１の実施形態によれば、スライド機構を介してカバー５の開閉を行うことにより、カバー５の開口面積を大きなものに設定しつつ、カバー５を開けた際に、カバー５と前側板１ａとが接触することを避けることができる。このように、カバー５の開口面積を確保することができることから、スイッチの設置スペースを従来に比べて大きなものとすることができるとともに、スイッチの操作性の向上を図ることができる。また、カバー５を開けた際、このカバー５が前側板１ａに接触し傷が付くことを防げることから、乗かご１の意匠性を損なうことがない。
【００２０】
図４は本発明のエレベータかご内操作盤用スイッチボックスの第２の実施形態を示す平面図、図５は本発明のエレベータかご内操作盤用スイッチボックスの第２の実施形態を示す側面図、図６は本発明のエレベータかご内操作盤用スイッチボックスの第２の実施形態を示す正面図である。
【００２１】
乗かご１のかご内操作盤２に設けられる第２の実施形態のエレベータかご内操作盤用スイッチボックス３は図４〜図６に示すように、保守作業時に操作されるスイッチを収納しているケース１４と、このケース１４の開口を覆うカバー１５と、このカバー１５の開閉動作を行うヒンジ１６と、カバー１５を閉じている状態を保持するカバーロック１７とを有しており、スライド機構を介してカバー１５の開閉を行うようになっている。前述のスライド機構は、ケース１４に設けられるスライド軸、例えば一端がケース１４の側壁に支持される複数のピン９ａ、９ｂと、ヒンジ１６に形成され、ピン９ａ、９ｂが挿通されるスライド穴１６ｄ、１６ｅとを備えて成っている。また、前述のカバー１５は、その横幅寸法がケース１４の横幅寸法と同等に設定されている。さらに、前述のヒンジ１６は、ピン９ａ、９ｂにスライド穴１６ｄ、１６ｅを介して係合することによりピン９ａ、９ｂに支持される第１ヒンジ１６ａと、この第１ヒンジ１６ａに取付けられる回転軸１６ｂと、一端がカバー１５に固定されるとともに、他端が回転軸１６ｂに軸支される第２ヒンジ１６ｃとから成っている。また、前述のスライド穴１６ｄ、１６ｅは、カバー１５からケース１４の底部に向って上向きに形成されるとともに、その一端、すなわちカバー１５側の終端部は水平に形成されている。
【００２２】
第２の実施形態にあっては保守作業時にケース４に収納されているスイッチを操作する場合、カバーロック１７を開錠して、スライド軸となるピン９ａ、９ｂを支点にし、斜めに形成されたスライド穴１６ｄ、１６ｅに沿って第１ヒンジ１６ａを手前方向（図１中上方向）にスライドさせることにより、カバー１５およびヒンジ１６を手前方向に変位させる。このときピン９ａ、９ｂがスライド穴１６ｄ、１６ｅの水平部を超えて傾斜部に達すると、カバー１５および第２ヒンジ１６ｃは自重により手前、かつ下方向に変位し、スライド穴１６ｄ、１６ｅの端部とピン９ａ、９ｂとが当接するスライド終点位置に達する。
この状態でカバー１５を回転軸１６ｂを中心に回動させることにより、カバー１５を開ける。一方、保守作業が終了し、通常運転に復帰させる場合、前述とは逆の手順で、ピン９ａ、９ｂを支点とし斜めに形成されたスライド穴１６ｄ、１６ｅに沿ってカバー１５を持ち上げるようにしてヒンジ１６を奥行き方向（図１中下方向）にスライドさせるとともに、カバー１５を閉扉方向に回動させ、カバーロック１７を施錠する。
【００２３】
第２の実施形態によれば、前述した第１の実施形態と同様の効果を得ることができる。また、スライド穴１６ｄ、１６ｅを斜めに形成し、カバー１５およびヒンジ１６を自重でスライドさせることにより、より円滑なカバー１５の開扉を実現することができる。
【図面の簡単な説明】
【００２４】
【図１】本発明のエレベータかご内操作盤用スイッチボックスの第１の実施形態を示す平面図である。
【図２】本発明のエレベータかご内操作盤用スイッチボックスの第１の実施形態を示す側面図である。
【図３】本発明のエレベータかご内操作盤用スイッチボックスの第１の実施形態を示す正面図である。
【図４】本発明のエレベータかご内操作盤用スイッチボックスの第２の実施形態を示す平面図である。
【図５】本発明のエレベータかご内操作盤用スイッチボックスの第２の実施形態を示す側面図である。
【図６】本発明のエレベータかご内操作盤用スイッチボックスの第２の実施形態を示す正面図である。
【図７】従来のエレベータかご内操作盤用スイッチボックスの平面図である。
【図８】従来のエレベータかご内操作盤用スイッチボックスの側面図である。
【図９】従来のエレベータかご内操作盤用スイッチボックスの正面図である。
【図１０】エレベータかご内操作盤用スイッチボックスが取付けられる乗かごの概略構成図である。
【符号の説明】
【００２５】
１  乗かご
２  かご内操作盤
３  かご内操作盤用スイッチボックス
４、１４  ケース
５、１５  カバー
６、１６  ヒンジ
６ｄ、１６ｄ、１６ｅ  スライド穴
７、１７  カバーロック
８  ロッド体（スライド軸）
９ａ、９ｂ  ピン（スライド軸）
【図１】
0004834436.tif 000002
【図２】
0004834436.tif 000003
【図３】
0004834436.tif 000004
【図４】
0004834436.tif 000005
【図５】
0004834436.tif 000006
【図６】
0004834436.tif 000007
【図７】
0004834436.tif 000008
【図８】
0004834436.tif 000009
【図９】
0004834436.tif 000010
【図１０】
0004834436.tif 000011